(57)【要約】【課題】  独自のホームページを有する店舗が、総合サイトにおいても店舗情報を公開する場合に店舗情報を入力する手間が大きくなることを解消すること。【解決手段】  各店舗のホームページのホームページアドレスを入力するための入力手段５１と、該入力されたホームページアドレスに対応するホームページのホームページデータを、予め定められた所定の取得時期において取得するホームページデータ取得手段５１と、該取得したホームページデータに基づいて当該店舗の店舗情報を総合サイトにおいて提供するための総合店舗情報ホームページを作成するホームページ作成手段５１と、該作成した総合店舗情報ホームページと、当該ホームページの登録要求とを前記総合サイトを提供するためのサイトサーバ１に送信する登録要求送信手段５１とを備える。【選択図】  図１４
2005332335.tif 000002
【特許請求の範囲】
【請求項１】
データ通信可能に接続された複数のコンピュータ端末から成るコンピュータネットワークに接続されたサーバコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
該入力手段から入力されたホームページアドレスに対応するホームページのホームページデータを、予め定められた所定の取得時期において取得するホームページデータ取得手段と、
該ホームページデータ取得手段にて取得したホームページデータに基づいて、当該ホームページデータに対応する店舗の店舗情報を前記総合サイトにおいて提供するための総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴とするホームページ作成システム。
【請求項２】
前記ホームページデータ取得手段にて取得した各店舗のホームページデータの形式を特定するデータ形式特定手段を備え、
前記ホームページ作成手段は、前記データ形式特定手段にて特定される前記ホームページデータ取得手段にて取得した各店舗のホームページデータのデータ形式が、携帯電話端末用の所定形式のホームページデータでないときに、少なくとも携帯電話端末用の所定形式のホームページデータから成る総合店舗情報ホームページを作成することを特徴とする請求項１に記載のホームページ作成システム。
【請求項３】
前記ホームページデータ取得手段にて取得した各店舗のホームページデータから削除する部分を特定可能な削除部分特定情報を登録するための削除部分特定情報登録手段を備え、
前記ホームページ作成手段は、前記総合店舗情報ホームページを作成するときに、該削除部分特定情報登録手段にて登録された削除部分特定情報に基づいて、前記ホームページデータ取得手段にて取得した各店舗のホームページデータにおける削除部分を特定して削除することを特徴とする請求項１または２に記載のホームページ作成システム。
【請求項４】
前記入力手段においては、各店舗のホームページのホームページアドレスとともに、当該店舗の店舗名称が入力され、
該入力手段にて入力されたホームページアドレスと当該店舗の店舗名称とを対応付けて記憶するための店舗名称記憶手段を備え、
前記登録要求送信手段は、前記総合店舗情報ホームページのホームページデータ並びに前記登録要求とともに、該ホームページデータの作成元となったホームページのホームページアドレスに対応付けて前記店舗名称記憶手段に記憶されている店舗名称と、当該店舗名称とともに送信されるホームページデータのホームページが当該店舗名称に対してリンク付けするリンク対象である旨とを前記サイトサーバに対して送信することを特徴とする請求項１〜３のいずれかに記載のホームページ作成システム。
【請求項５】
前記入力手段においては、各店舗のホームページのホームページアドレスとともに、当該店舗の店舗名称が入力され、
該入力手段にて入力されたホームページアドレスと当該店舗の店舗名称とを対応付けて記憶するための店舗名称記憶手段と、
前記店舗名称記憶手段に記憶されている店舗名称が一覧表示される店舗一覧ホームページを作成する店舗一覧ホームページ作成手段と、
該店舗一覧ホームページ作成手段にて作成された店舗一覧ホームページの各店舗の店舗名称に対して、前記ホームページ作成手段にて作成した該店舗の総合店舗情報ホームページをリンク付けするリンク付け手段と、
を備え、
前記登録要求送信手段は、前記総合店舗情報ホームページのホームページデータとともに、前記リンク付け手段にて該総合店舗情報ホームページのホームページデータにリンク付けされた店舗名称を含む前記店舗一覧ホームページ作成手段にて作成された店舗一覧ホームページのホームページデータと、これらホームページデータ並びに店舗一覧ホームページの登録を要求する登録要求とを、前記サイトサーバに対して送信することを特徴とする請求項１〜３のいずれかに記載のホームページ作成システム。
【請求項６】
前記入力手段にて入力される各店舗のホームページのホームページアドレスが複数であって、該複数の各ホームページアドレス毎に前記取得時期を個別に設定するための取得時期設定手段を備え、
前記ホームページデータ取得手段は、前記取得時期設定手段にて設定されている取得時期に基づいてホームページデータを取得することを特徴とする請求項１〜５のいずれかに記載のホームページ作成システム。
【発明の詳細な説明】
【技術分野】
【０００１】
本発明は、データ通信可能に接続された複数のコンピュータ端末から成るインターネット等のコンピュータネットワークに接続されたコンピュータを用いて、複数の店舗の店舗情報を１つの総合サイトにおいて提供するための総合店舗情報ホームページを作成するホームページ作成システムに関する。
【背景技術】
【０００２】
従来において総合サイトにて複数の店舗、例えば遊技場の店舗情報を提供するための総合店舗情報ホームページを作成する場合においては、各遊技場の担当者等が総合サイトを提供するサーバコンピュータにアクセスして、当該サイトにて公開する自遊技場の店舗情報を登録（入力）するものがある（例えば、特許文献１参照）。
【０００３】
【特許文献１】特開２００２−８３０８８号公報（第５頁、第１４図）
【発明の開示】
【発明が解決しようとする課題】
【０００４】
しかしながら、特許文献１のシステムにあっては、遊技場が独自のホームページにて自店の店舗情報を公開している場合には、該遊技場独自のホームページとともに、前記総合サイトの店舗情報とを、これら店舗情報が同一であっても二重に入力して登録する必要があり、各店舗である遊技場にとってこれらの店舗情報を入力して登録する手間が大きなものとなってしまうという問題があった。
【０００５】
本発明は、このような問題点に着目してなされたもので、独自のホームページにて自店の店舗情報を公開している店舗が、総合サイトにおいても店舗情報を公開する場合において、自店の店舗情報を入力して登録する各店舗の手間が大きなものとなってしまうことを解消できるホームページ作成システムを提供することを目的とする。
【課題を解決するための手段】
【０００６】
上記課題を解決するために、本発明の請求項１に記載のホームページ作成システムは、
データ通信可能に接続された複数のコンピュータ端末から成るコンピュータネットワークに接続されたコンピュータを用いて、複数の店舗の店舗情報を１つの総合サイトにおいて提供するための総合店舗情報ホームページを作成するホームページ作成システムであって、
各店舗のホームページのホームページアドレスを入力するための入力手段と、
該入力手段から入力されたホームページアドレスに対応するホームページのホームページデータを、予め定められた所定の取得時期において取得するホームページデータ取得手段と、
該ホームページデータ取得手段にて取得したホームページデータに基づいて、当該ホームページデータに対応する店舗の店舗情報を前記総合サイトにおいて提供するための総合店舗情報ホームページを作成するホームページ作成手段と、
該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバに送信する登録要求送信手段と、
を備えることを特徴としている。
この特徴によれば、ホームページにて自店の店舗情報を公開している各店舗が、総合サイトにおいても店舗情報を公開する際の、自店の店舗情報を入力して登録する手間が大きなものとなってしまうことを解消できる。
【０００７】
本発明の請求項２に記載のホームページ作成システムは、請求項１に記載のホームページ作成システムであって、
前記ホームページデータ取得手段にて取得した各店舗のホームページデータの形式を特定するデータ形式特定手段を備え、
前記ホームページ作成手段は、前記データ形式特定手段にて特定される前記ホームページデータ取得手段にて取得した各店舗のホームページデータのデータ形式が、携帯電話端末用の所定形式のホームページデータでないときに、少なくとも携帯電話端末用の所定形式のホームページデータから成る総合店舗情報ホームページを作成することを特徴としている。
この特徴によれば、携帯電話端末に対応していない形式のホームページのみを公開している店舗でも、総合サイトにて、携帯電話端末向けのホームページを簡便に開設できる。
【０００８】
本発明の請求項３に記載のホームページ作成システムは、請求項１または２に記載のホームページ作成システムであって、
前記ホームページデータ取得手段にて取得した各店舗のホームページデータから削除する部分を特定可能な削除部分特定情報を登録するための削除部分特定情報登録手段を備え、
前記ホームページ作成手段は、前記総合店舗情報ホームページを作成するときに、該削除部分特定情報登録手段にて登録された削除部分特定情報に基づいて、前記ホームページデータ取得手段にて取得した各店舗のホームページデータにおける削除部分を特定して削除することを特徴としている。
この特徴によれば、総合サイトを運営する運営機関が公開を望まない情報、例えば、競合する会社の広告等が各店舗のホームページデータに含まれる場合に、これらの公開を望まない情報が公開されることがなく、しかも当該情報が自動的に削除されるため、これら公開を望まない情報の削除に要する手間を大幅に削減できる。
【０００９】
本発明の請求項４に記載のホームページ作成システムは、請求項１〜３のいずれかに記載のホームページ作成システムであって、
前記入力手段においては、各店舗のホームページのホームページアドレスとともに、当該店舗の店舗名称が入力され、
該入力手段にて入力されたホームページアドレスと当該店舗の店舗名称とを対応付けて記憶するための店舗名称記憶手段を備え、
前記登録要求送信手段は、前記総合店舗情報ホームページのホームページデータ並びに前記登録要求とともに、該ホームページデータの作成元となったホームページのホームページアドレスに対応付けて前記店舗名称記憶手段に記憶されている店舗名称と、当該店舗名称とともに送信されるホームページデータのホームページが当該店舗名称に対してリンク付けするリンク対象である旨とを前記サイトサーバに対して送信することを特徴としている。
この特徴によれば、例えば各店舗の店舗名称一覧から各店舗の総合店舗情報ホームページにリンクするような構成を総合サイトにて採用する場合においても、これら店舗名称一覧に含まれる各店舗名称に対する総合店舗情報ホームページへのリンク付けがサイトサーバにて実施されるようになり、これらリンク付けに伴う労力を大幅に低減できる。
【００１０】
本発明の請求項５に記載のホームページ作成システムは、請求項１〜３のいずれかに記載のホームページ作成システムであって、
前記入力手段においては、各店舗のホームページのホームページアドレスとともに、当該店舗の店舗名称が入力され、
該入力手段にて入力されたホームページアドレスと当該店舗の店舗名称とを対応付けて記憶するための店舗名称記憶手段と、
前記店舗名称記憶手段に記憶されている店舗名称が一覧表示される店舗一覧ホームページを作成する店舗一覧ホームページ作成手段と、
該店舗一覧ホームページ作成手段にて作成された店舗一覧ホームページの各店舗の店舗名称に対して、前記ホームページ作成手段にて作成した該店舗の総合店舗情報ホームページをリンク付けするリンク付け手段と、
を備え、
前記登録要求送信手段は、前記総合店舗情報ホームページのホームページデータとともに、前記リンク付け手段にて該総合店舗情報ホームページのホームページデータにリンク付けされた店舗名称を含む前記店舗一覧ホームページ作成手段にて作成された店舗一覧ホームページのホームページデータと、これらホームページデータ並びに店舗一覧ホームページの登録を要求する登録要求とを、前記サイトサーバに対して送信することを特徴としている。
この特徴によれば、例えば各店舗の店舗一覧ホームページと、該店舗一覧ホームページに含まれる各店舗の店舗名称に対する総合店舗情報ホームページへのリンク付けが自動的に実施されることで、これらリンク付けに伴う労力を大幅に低減できる。
【００１１】
本発明の請求項６に記載のホームページ作成システムは、請求項１〜５のいずれかに記載のホームページ作成システムであって、
前記入力手段にて入力される各店舗のホームページのホームページアドレスが複数であって、該複数の各ホームページアドレス毎に前記取得時期を個別に設定するための取得時期設定手段を備え、
前記ホームページデータ取得手段は、前記取得時期設定手段にて設定されている取得時期に基づいてホームページデータを取得することを特徴としている。
この特徴によれば、各店舗が提供する各ホームページの更新頻度に合わせて前記取得時期を設定でき、不必要なホームページデータの取得や、総合店舗情報ホームページの生成を極力少なくすることができ、処理負荷や通信コストを低減できる。
【発明を実施するための最良の形態】
【００１２】
本発明の実施例を以下に説明する。
【実施例】
【００１３】
まず図１は、本発明のホームページ作成システムを成すホームページ作成コンピュータ５を備える本実施例のシステムを示すシステム図であり、本実施例のシステムは、図１に示すように、コンピュータネットワークであるインターネット網８に接続されたアクセス利用者である遊技者ａ，ｂのコンピュータ端末としてのインターネット網８への接続機能を有する携帯電話３や可搬可能なノートパソコン４等や、遊技場ａのホームページをインターネット網８を介して配信するためのコンピュータ６や、遊技場ｂのホームページを該遊技場ｂと契約することで、該遊技場ｂに設置されているコンピュータ７をインターネット網に接続するインターネットプロバイダ（ＩＳＰ）に設置されて、該遊技用ｂのホームページをインターネット網８を介して配信するためのウエブサーバ９や、提供センターに設置され、前記インターネット網８に通信装置２を介して接続され、総合サイトであるパーラー情報サイトを提供するための本発明におけるサイトサーバとなるサーバコンピュータ１と、該サーバコンピュータ１並びにインターネット網８に通信装置２を介して接続され、前記コンピュータ６やウエブサーバ９により配信される各遊技場のホームページデータを取得して、該取得した各遊技場のホームページデータに含まれる遊技場情報をパーラー情報サイトにて提供可能な本発明における総合店舗情報ホームページとなるサイト用ホームページを作成するホームページ作成コンピュータ５とから主に構成されており、アクセス利用者である遊技者ａ，ｂのコンピュータ端末３，４並びにコンピュータ６やウエブサーバ９とサーバコンピュータ１並びにホームページ作成コンピュータ５とは、インターネット網８を介して双方にデータ送受可能に構成されている。
【００１４】
この本実施例において使用したサーバコンピュータ１の構成は、図２に示すように、コンピュ−タ内部にてデ−タの送受を行うデ−タバス１０に、該サーバコンピュータ１が実施するアクセス利用者の認証処理や、アクセス利用者から受付けた都市や地域等に対応する遊技場一覧ページや各遊技場のサイト用ホームページを配信する配信処理を等を実施する中央演算処理装置（ＣＰＵ）１１や、該ＣＰＵ１１が行う各処理に使用されるメモリ等として使用されるＲＡＭ１２や、現在の時刻情報や任意の年月日の曜日等のカレンダ−情報を出力可能なリアルタイムクロック（ＲＴＣ）１７と、前記通信装置２に接続されてインターネット網８やホームページ作成コンピュータ５とのデータの送受信を行う通信インターフェイス１３と、磁気ディスクや光磁気ディスクから成り、後述するユーザー情報データベースが記憶されるとともに、ホームページ作成コンピュータ５にて作成されてアップロードされた遊技場一覧ページのデータやサイト用ホームページのデータを記憶するためのページデータ記憶領域を有する記憶装置１５と、が接続された比較的高速の演算処理が可能な通常のコンピュ−タとされており、前記ページデータ記憶領域に記憶されている各ホームページのデータは、アクセス者が使用する各コンピュータ端末のプラットホーム（オペレーションシステム）等に依存せずに、どのプラットホームにおいても相互に使用可能なＨＴＭＬ（ハイパーテキストマークアップラングエッジ）言語や、各種携帯電話事業者の携帯電話において使用可能なＣ-ＨＴＭＬ形式や、ＨＤＭＬ形式、ＭＭＬ形式にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記配信処理を行う処理プログラムとが協調して各種の受付処理等を実施するようになっている。
【００１５】
また、本実施例のユーザー情報データベースには、図１１に示すように、サーバコンピュータ１にて提供されるパーラー情報サイトにおいて、ログインを可能とするために会員登録した各アクセス利用者に固有に付与された会員ＩＤに対応付けて、各会員の電子メールアドレスやパスワードや、会員登録時に受付けた氏名等の個人情報が記憶されていて、パーラー情報サイトへのログイン時に、アクセス利用者から会員ＩＤとパスワードとを受付けて、ユーザー情報データベースに記憶されている会員ＩＤとパスワードとを照合することで、アクセス利用者を会員登録した会員であるか否かを判定して、会員登録した会員のみがパーラー情報サイトにログインできるようになっている。
【００１６】
次いで、本発明のホームページ作成システムを成す本実施例に用いたホームページ作成コンピュータ５について説明すると、本実施例のホームページ作成コンピュータ５は、図２に示すように、コンピュ−タ内部にてデ−タの送受を行うデ−タバス５０に、モニタ等の表示装置５４や、キーボードやマウス等の入力装置５６や、該ホームページ作成コンピュータ５が実施するサイト用ホームページの作成処理等の各種処理を実施する中央演算処理装置（ＣＰＵ）５１や、該ＣＰＵ５１が行う各処理に使用されるメモリとして使用されるＲＡＭ５２や、現在の時刻情報や任意の年月日の曜日等のカレンダ−情報を出力可能なリアルタイムクロック（ＲＴＣ）５７と、前記通信装置２に接続されて各遊技場のホームページを配信するコンピュータ６やウエブサーバ９やサーバコンピュータ１とのデータの送受信を行う通信インターフェイス５３と、磁気ディスクや光磁気ディスクから成り、各遊技場のホームページから各種の携帯電話において使用可能な形式のサイト用ホームページを作成するためのページ作成プログラムや、該作成されたサイト用ホームページをサーバコンピュータ１に配信可能にアップロードするためのアップロードプログラムや、サーバコンピュータ１のパーラー情報サイトにおいて遊技場情報が公開される各遊技場の名称や住所や当該遊技場のホームページのＵＲＬアドレス（Uniform Resource Locator）等が記憶された遊技場データベースとが記憶された記憶装置５５と、が接続された比較的高速の演算処理が可能なコンピュ−タとされている。
【００１７】
記憶装置５５に記憶されている本発明における店舗名称記憶手段となる本実施例の遊技場データベースには、図１２に示すように、前記サーバコンピュータ１にて提供されるパーラー情報サイトにおいて遊技場情報を公開するために提供センサーと契約した各遊技場の遊技場名と、当該遊技場の所在地と、該遊技場のホームページに削除対象となる内容が含まれているときに当該内容を削除するか否かの設定情報（削除する設定の場合には「ＯＮ」が記憶され、削除しない設定の場合には「ＯＦＦ」が記憶される）が記憶される削除設定とが記憶されているとともに、パーラー情報サイトにおいて各遊技場の遊技場情報をアクセス利用者に提供する際の遊技場情報の各項目（お店紹介、Ｐ設置機種、Ｓ設置機種、出玉ベスト１０…等）毎に、各項目に対応する遊技場情報の取得先となる、該項目に対応する遊技場情報を含む該遊技場のホームページのＵＲＬアドレスが記憶される取得先ＵＲＬと、該取得先ＵＲＬのＵＲＬアドレスからホームページのソースデータを取得する時期が記憶される取得時期の各項目が設けられていて、これら各項目の内容としては、図１３に示す遊技場登録変更設定画面において入力された各情報が記憶（登録）されるようになっている。
【００１８】
具体的には、図１３に示す遊技場登録変更設定画面における遊技場名が遊技場データベースの遊技場名に、遊技場登録変更設定画面における住所が遊技場データベースの所在地に、遊技場登録変更設定画面における削除設定の内容（「ＯＮ」または「ＯＦＦ」）が遊技場データベースの削除設定に、遊技場登録変更設定画面におけるお店紹介項目情報取得先ＵＲＬ並びに対応する取得時期が、遊技場データベースのお店紹介の項目に対応する取得先ＵＲＬ並びに取得時期に、遊技場登録変更設定画面におけるパチンコ設定機種項目情報取得先ＵＲＬ並びに対応する取得時期が、遊技場データベースのＰ設定機種の項目に対応する取得先ＵＲＬ並びに取得時期に、遊技場登録変更設定画面におけるスロット設定機種項目情報取得先ＵＲＬ並びに対応する取得時期が、遊技場データベースのＳ設定機種の項目に対応する取得先ＵＲＬ並びに取得時期に、遊技場登録変更設定画面における出玉ベスト１０項目情報取得先ＵＲＬ並びに対応する取得時期が、遊技場データベースの出玉ベスト１０の項目に対応する取得先ＵＲＬ並びに取得時期に、それぞれ記憶され、これら遊技場データベースの取得時期に基づいて、対応する取得先ＵＲＬのホームページのソースデータが取得（ダウンロード）されて、該取得（ダウンロード）されたソースデータに基づいてパーラー情報サイトにて配信されるサイト用ホームページが新たに作成されて、古いサイト用ホームページが新たなサイト用ホームページに更新されるようになっている。
【００１９】
また、本実施例のホームページ作成コンピュータ５のＣＰＵ５１は、パーラー情報サイトにおいて遊技場情報を新たに公開する遊技場を設定するために、所定の操作がなされることに基づいて、図１３に示す遊技場登録変更設定画面を表示装置５４に表示して、遊技場情報を新たに公開する遊技場の遊技場名の入力や、各遊技場のホームページのソースデータから削除対象とするイメージ等の削除設定や、パーラー情報サイトにおける遊技場情報の各項目に対応する該遊技場が独自に公開しているホームページのＵＲＬアドレスや取得時期の設定を受付けて、前記遊技場データベースに記憶（登録）する遊技場登録変更受付け設定処理を実施する。すなわち、該遊技場登録変更受付け設定処理によって各遊技場（店舗）のホームページアドレスを入力し、更には該ホームページアドレスとともに遊技場の遊技場名（店舗名称）を入力する入力手段と、複数の各遊技場（店舗）のホームページのホームページアドレス毎に取得時期を個別に設定するための取得時期設定手段が形成されている。
【００２０】
また、本実施例のホームページ作成コンピュータ５のＣＰＵ５１は、図示しない削除部分登録画面を表示装置５４に表示して、取得した遊技場のホームページのソースデータから削除する部分を特定可能な削除部分特定情報（例えば、特定の語句やリンク付けされた画像等）受付けて、該受付けた削除部分特定情報を記憶（登録）する削除部分情報記憶処理を実施し、該削除部分情報記憶処理によって本発明における削除部分特定情報登録手段が形成されていて、本実施例では、取得したホームページに貼り込まれたリンク付けされている画像（イメージ）が削除対象として記憶（登録）されている。
【００２１】
また、本実施例のホームページ作成コンピュータ５のＣＰＵ５１は、前記遊技場登録変更受付け設定処理にて遊技場データベースに記憶（登録）された取得時期に基づいて、該取得時期に対応して遊技場データベースに記憶されているＵＲＬアドレスのホームページのソースデータを取得（ダウンロード）するホームページデータ取得処理を実施し、該ホームページデータ取得処理によって本発明のホームページデータ取得手段が形成されている。
【００２２】
また、本実施例のホームページ作成コンピュータ５のＣＰＵ５１は、前記ホームページデータ取得処理にて取得したホームページのソースデータ（ホームページデータ）のデータ形式が、各種携帯電話事業者の携帯電話において使用可能なＣ-ＨＴＭＬ形式や、ＨＤＭＬ形式、ＭＭＬ形式であるか、通常のＨＴＭＬ形式であるかを特定するデータ形式特定処理を実施し、該データ形式特定処理によって本発明のデータ形式特定手段が形成されている。
【００２３】
また、本実施例のホームページ作成コンピュータ５のＣＰＵ５１は、前記データ形式特定処理によって特定される前記ホームページデータ取得処理にて取得したホームページのソースデータ（ホームページデータ）のデータ形式が、携帯電話端末に対応した所定形式のホームページデータでないときに、該取得したソースデータ（ホームページデータ）に基づいて、当該遊技場の遊技場情報を総合サイトであるパーラー情報サイトにおいて提供するためのサイト用ホームページ、具体的には、各種携帯電話事業者の携帯電話において使用可能な形式のサイト用ホームページを作成するサイト用ホームページ作成処理を実施し、該サイト用ホームページ作成処理によって本発明におけるホームページ作成手段が形成されている。
【００２４】
尚、本実施例のサイト用ホームページ作成処理においては、前記ホームページデータ取得処理にて取得したホームページのソースデータ（ホームページデータ）のＵＲＬアドレスに対応付けて前記遊技場データベースに記憶されている削除設定の設定情報が「ＯＮ」である場合において、取得したホームページに貼り込まれているイメージ（リンク付けがなされているイメージ（画像）を含む）データを特定して削除し、該削除済みのソースデータ（ホームページデータ）を用いてサイト用ホームページを作成する。
【００２５】
また、本実施例のホームページ作成コンピュータ５のＣＰＵ５１は、前記遊技場データベースに各遊技場の遊技場名に対応付けて記憶されている所在地の内容に基づいて、パーラー情報サイトにおける店舗検索の検索結果となる、所定地域内に存在する遊技場の遊技場名が一覧表示される遊技場名一覧ページを作成する遊技場名一覧ページ作成処理を実施し、該遊技場名一覧ページ作成処理によって本発明における店舗一覧ホームページ作成手段が形成されている。
【００２６】
また、本実施例のホームページ作成コンピュータ５のＣＰＵ５１は、前記遊技場名一覧ページ作成処理にて作成された遊技場名一覧ページの各遊技場名に、パーラー情報サイトにおいて該遊技場名を選択したときに表示される項目一覧ページをリンク付けするとともに、該リンク付けされた項目一覧ページの各項目に対して、前記サイト用ホームページ作成処理にて作成した該項目に対応するサイト用ホームページをリンク付けするリンク付け処理を実施し、該リンク付け処理によって本発明におけるリンク付け手段が形成されている。
【００２７】
また、本実施例のホームページ作成コンピュータ５のＣＰＵ５１は、前記遊技場名一覧ページ作成処理にて作成された遊技場名一覧ページのソースデータ、該遊技場名一覧ページに前記リンク付け処理によってリンク付けされた項目一覧ページのソースデータ、前記サイト用ホームページ作成処理にて作成された該項目一覧ページにリンク付けされたサイト用ホームページのソースデータ並びに、これらリンク付けされた遊技場名一覧ページ、項目一覧ページ並びにサイト用ホームページを前記ページデータ記憶領域に配信可能に記憶（登録）することを要求する登録要求とをサーバコンピュータ１に対して送信する登録要求送信処理を実施し、該登録要求送信処理によって本発明における登録要求送信手段が形成されている。
【００２８】
以下、遊技場、例えばパーラー○△が新たにパーラー情報サイトにて自店の遊技場の情報を公開する場合の流れについて説明する。尚、該遊技場（パーラー○△）は、自店に設置しているコンピュータ６にて、図９並びに図１０に示すような、既に通常のパソコン用となるＨＴＭＬデータ形式の独自のホームページを公開しており、この遊技場独自のホームページにアクセスした場合には、図９に示すトップページが、コンピュータ６から例えばノートパソコン４に配信されて表示されるようになっているとともに、該トップページの下部位置には、遊技場内のレイアウトの情報を閲覧するときに選択入力する「店内レイアウト」の項目や、該遊技場（パーラー○△）の店舗情報を閲覧するときに選択入力する「店舗情報」の項目や、該遊技場に設置されているパチンコ機の機種情報を閲覧するときに選択入力する「パチンコ設置台情報」の項目や、該遊技場に設置されているスロットマシンの機種情報を閲覧するときに選択入力する「スロット設置台情報」の項目や、遊技場（パーラー○△）のイベントに関する情報を閲覧するときに選択入力する「イベント情報」の項目や、昨日や最近一週間における出玉情報（ランキング）を閲覧するときに選択入力する「出玉トップ１０」の項目が設けられており、例えば「店舗情報」の項目を選択入力した場合には、図１０に示すように、該遊技場（パーラー○△）の住所や電話番号、営業時間等の各種情報を含む店舗情報ページが配信される。尚、この店舗情報ページには、図１０に示すように、広告主である銀行のホームページにリンクされたバナー広告の画像イメージが貼り込まれている。尚、本説明においては、遊技場（パーラー○△）が、自店に設置されているコンピュータ６にてホームページを配信（公開）している例について説明しているが、遊技場が契約しているＩＳＰのウエブサーバ９において遊技場が自店のホームページを配信（公開）している場合についても、同様に本発明を適用できる。
【００２９】
また、この遊技場（パーラー○△）は、ＨＴＭＬデータ形式の独自のホームページしか公開しておらず、この場合、携帯電話３から該遊技場のホームページを閲覧することはできない。
【００３０】
このため、遊技場（パーラー○△）が提供センターを運営する企業と契約して、パーラー情報サイトにて自店の遊技場の情報を公開する場合には、これら自店が公開しているホームページの各ページのＵＲＬアドレスを該提供センターに通知することで、提供センターに設置されている前記ホームページ作成コンピュータ５に、遊技場名やＵＲＬアドレス等が登録される。
【００３１】
具体的には、契約の成立後のホームページ作成コンピュータ５において所定の操作を実施して表示装置５４に、図１３に示す遊技場登録変更設定画面を表示させて、該遊技場登録変更設定画面内の各項目へ情報を入力する。
【００３２】
この本実施例の遊技場登録変更設定画面には、図１３に示すように、遊技場名を入力するための遊技場名の入力部と、住所を入力するための住所入力部と、取得した該遊技場のホームページからのイメージを削除するか否かを設定するための削除設定部と、後述する項目一覧ページにおけるお店紹介項目にリンク付けされるお店紹介ページの作成元となる遊技場独自のホームページのＵＲＬアドレス、例えば当該遊技場（パーラー○△）のホームページにおける前記「店舗情報」の項目を選択入力した際に配信される店舗情報ページのＵＲＬアドレスを入力するためのお店紹介項目情報取得先ＵＲＬ入力部と、後述する項目一覧ページにおけるパチンコ設定機種項目にリンク付けされるパチンコ設定機種ページの作成元となる遊技場独自のホームページのＵＲＬアドレス、例えば当該遊技場（パーラー○△）のホームページにおける前記「パチンコ設置台情報」の項目を選択入力した際に配信されるパチンコ設置台情報ページのＵＲＬアドレスを入力するためのパチンコ設定機種項目情報取得先ＵＲＬ入力部と、後述する項目一覧ページにおけるスロット設定機種項目にリンク付けされるスロット設定機種ページの作成元となる遊技場独自のホームページのＵＲＬアドレス、例えば当該遊技場（パーラー○△）のホームページにおける前記「スロット設置台情報」の項目を選択入力した際に配信されるスロット設置台情報ページのＵＲＬアドレスを入力するためのスロット設定機種項目情報取得先ＵＲＬ入力部と、後述する項目一覧ページにおける出玉ベスト１０項目にリンク付けされる出玉ベスト１０ページの作成元となる遊技場独自のホームページのＵＲＬアドレス、例えば、当該遊技場（パーラー○△）のホームページにおける前記「出玉情報」の項目を選択入力した際に配信される出玉情報ページのＵＲＬアドレスを入力するための出玉ベスト１０項目情報取得先ＵＲＬ入力部、…等が設けられているとともに、前記各取得先ＵＲＬ入力部に対応付けて該取得先ＵＲＬ入力部に入力されたＵＲＬアドレスからホームページのソースデータを取得する時期を選択入力するための取得時期の選択設定部とが設けられている。
【００３３】
この遊技場登録変更設定画面においては、項目一覧ページにおける各項目に該当する各取得先ＵＲＬ入力部に全てＵＲＬアドレスを入力する必要はなく、遊技場がホームページにて公開している情報に該当する情報が無い場合、例えばスロットマシンを設置していない遊技場であれば、スロット設定機種項目情報取得先ＵＲＬ入力部への入力を行う必要はないし、更には、出玉情報は遊技場独自のホームページでのみ公開したい場合で、パーラー情報サイトにては公開したくない等の遊技場の要望がある場合には、遊技場がホームページにて公開している情報に該当する情報がある場合であっても、該当する取得先ＵＲＬ入力部にＵＲＬアドレスを入力しないことで、遊技場の公開、非公開の要望に答えることができるようになっている。
【００３４】
また、取得時期の選択設定部には、パーラー情報サイトにて情報を公開した後において、該公開する情報を、遊技場独自のホームページから取得して更新するタイミングを設定するようになっており、これらの更新タイミングは、店舗情報等はそれほど頻繁に変更が生じるものではないので、お店紹介項目情報取得先ＵＲＬに対応する取得時期としては、更新するタイミングとして一ヶ月に１回、月始め等に実施するように設定し、逆に、出玉情報等は毎日情報が更新されるので、出玉ベスト１０項目情報取得先ＵＲＬに対応する取得時期としては、更新するタイミングとして毎日実施するように設定すれば良く、このように、各情報の項目に対応する取得先のＵＲＬアドレス毎に取得時期を個別に設定することで、不必要なホームページデータの取得や、不必要に更新のない同一のサイト用ホームページが作成されてしまうことによる無駄を極力少なくすることができるようになる。
【００３５】
このようにして遊技場登録変更設定画面にて入力或いは選択された設定内容は、該遊技場登録変更設定画面の下方に設けられている「登録」の選択入力部を選択入力することで、前記遊技場データベースに遊技場名に対応付けて記憶される。
【００３６】
この遊技場データベースへの登録に基づいて、前記ＣＰＵ５１は、図１４のフロー図に示すＳ１〜Ｓ９の処理を実施することで、該新たに登録された遊技場名に対応付けて遊技場データベースに登録（記憶）された各項目のＵＲＬアドレスのホームページに基づいて、各項目に該当するサイト用ホームページを作成する。
【００３７】
具体的には、遊技場データベースに新たに登録された遊技場が該当する遊技場名一覧ページを当該遊技場の住所から特定（例えば、パーラー○△であれば渋谷区の遊技場名一覧ページが該当する）し、該特定した遊技場一覧ページに当該遊技場名を加えた新たな遊技場一覧ページを作成する（Ｓ１）。
【００３８】
そして、Ｓ２に進んで、該遊技場名に対応して遊技場データベースにＵＲＬアドレスが記憶されている項目名（パーラー○△であれば全ての項目）を特定し、項目一覧ページを作成、該作成した項目一覧ページを、Ｓ１にて作成した新たな遊技場一覧ページの当該遊技場名にリンク付けする。
【００３９】
尚、これら遊技場一覧ページや項目一覧ページとしては、後述するサイト用ホームページと同様に、通常のＨＴＭＬ形式とともに、各種携帯電話事業者の携帯電話において使用可能な各データ形式（Ｃ-ＨＴＭＬ形式、ＨＤＭＬ形式、ＭＭＬ形式）の各ページが作成される。
【００４０】
そして、Ｓ３に進んで、Ｓ２にて特定したＵＲＬアドレス（取得先ＵＲＬ）のホームページのソースデータを、前記コンピュータ６から取得（ダウンロード）する。
【００４１】
そして、Ｓ４に進み、該Ｓ３にて取得したホームページのＵＲＬアドレス（取得先ＵＲＬ）に対応付けて遊技場データベースに登録されている削除設定の項目の削除情報がＯＮであれば、取得したソースデータ中のイメージデータ、具体的には、取得したホームページに貼り込まれているイメージ（画像）データを削除する。
【００４２】
そして、Ｓ５に進み、前記Ｓ３にて取得したホームページのソースデータから、当該取得したホームページデータ形式が、各種携帯電話事業者の携帯電話において使用可能なＣ-ＨＴＭＬ形式や、ＨＤＭＬ形式、ＭＭＬ形式であるか、通常のＨＴＭＬ形式であるかを特定した後、Ｓ６に進んで、該特定したデータ形式が携帯電話対応形式であるＣ-ＨＴＭＬ形式や、ＨＤＭＬ形式、ＭＭＬ形式であるか否かを判定する。
【００４３】
具体的に、パーラー○△の場合には、取得先のホームページが、前述したように通常のＨＴＭＬ形式であることから、Ｓ５にてデータ形式が通常のＨＴＭＬ形式であると特定され、Ｓ６において、携帯電話対応形式ではないと判定されることで、Ｓ７に進み、前記したイメージ（画像）データを削除した通常のＨＴＭＬ形式のページ、例えば、取得先のホームページが前述の店舗情報ページであれば、イメージ（画像）データである前述のバナー広告のイメージデータが削除されたＨＴＭＬ形式のページ（サイト用ホームページ）以外に、該削除済みのＨＴＭＬ形式のページ（ソースデータ）を各携帯電話事業者の携帯電話において使用可能なＣ-ＨＴＭＬ形式や、ＨＤＭＬ形式、ＭＭＬ形式のページデータに変換して、各携帯電話事業者の携帯電話向けのサイト用ホームページを作成する。
【００４４】
これらＣ-ＨＴＭＬ形式や、ＨＤＭＬ形式、ＭＭＬ形式のページデータへの変換においては、携帯電話において表示可能な表示容量が少ないことから、表示内容が多い場合等には、変換後のサイト用ホームページを複数のページとしても良い。
【００４５】
尚、Ｓ６における判定がイエス、つまりは、Ｓ５にて特定したデータ形式が、携帯電話において使用可能なＣ-ＨＴＭＬ形式、ＨＤＭＬ形式、ＭＭＬ形式のいずれかである場合、例えばＣ-ＨＴＭＬ形式である場合には、該Ｃ-ＨＴＭＬ形式以外のデータ形式となるＨＤＭＬ形式、ＭＭＬ形式への変換を実施して、ＨＤＭＬ形式、ＭＭＬ形式のサイト用ホームページを作成する。尚、本実施例では、これら携帯電話用の各データ形式のサイト用ホームページに加えて、携帯電話用以外の通常のパソコン用のＨＴＭＬ形式のサイト用ホームページも合わせて作成する。
【００４６】
これら各データ形式のサイト用ホームページを作成した後、Ｓ８に進んで、削除済みソースデータによるページ（パーラー○△の場合にはバナー広告のイメージデータが削除されたＨＴＭＬ形式のページ）、並びに各携帯電話事業者に対応した各データ形式のサイト用ホームページ（ソースデータ）を、当該サイト用ホームページの作成元となったホームページの取得先ＵＲＬ（ＵＲＬアドレス）に対応する前記遊技場データベースにおける項目の項目一覧ページの表示、例えば作成元となったホームページが前記店舗情報ページであれば、対応する前記遊技場データベースにおける項目である「お店紹介」の項目一覧ページにおける表示に対してリンク付けを実施する。
【００４７】
そして、このようにして、遊技場一覧ページ（各データ形式）の当該遊技場名にリンク付けされた項目一覧ページ（各データ形式）と、該項目一覧ページの各項目の表示にリンク付けされた当該項目に対応する各データ形式のサイト用ホームページ（ソースデータ）と、これらリンク付けされた遊技場名一覧ページ、項目一覧ページ並びにサイト用ホームページを前記ページデータ記憶領域に配信可能に記憶（登録）することを要求する登録要求とをアップロードプログラムによりサーバコンピュータ１に送信（アップロード）することで、サーバコンピュータ１がページデータ記憶領域に記憶されている各ページデータを更新することで、該アップロードされた各ページが、パーラー情報サイトにて公開されるようになる。
【００４８】
以下、これらアップロードされた各ページがパーラー情報サイトにて配信される流れについて説明すると、アクセス利用者が本実施例のサーバコンピュータ１にアクセスした際におけるサーバコンピュータ１の処理状況について、図３に基づき説明する。尚、以下の説明においては、アクセス利用者が携帯電話３を使用してアクセスした場合を例に説明する。
【００４９】
まず、アクセス利用者がサーバコンピュータ１にて提供されるパーラー情報サイトのＵＲＬアドレスにアクセスした場合には、サーバコンピュータ１においては、該アクセスによりアクセス利用者の携帯電話３から送信されるＨＴＴＰリクエストのヘッダに含まれる携帯電話３に該当する携帯電話事業者の情報を特定し、該特定した携帯電話事業者に対応するデータ形式のパーラー情報サイトのトップページを携帯電話３に配信することで、図４に示す如く、パーラー情報サイトのトップページが携帯電話３に表示される。
【００５０】
本実施例では、これらトップページに、図４に示すように、利用者が遊技場の情報を入手したい場合に選択する「パーラー情報」の選択入力部と、アクセス利用者が会員登録した登録会員でない場合に会員登録を行う際に選択入力する「ユーザー登録」の選択入力部と、アクセス利用者がサイトの利用方法を閲覧する際に選択入力する「利用方法」の選択入力部が設けられている。
【００５１】
アクセス利用者が登録会員でない場合には、「ユーザー登録」の選択入力部を選択することで配信されるユーザー登録ページにて、氏名等の個人情報やパスワードを入力した後、登録を申し込むことで、サーバコンピュータ１は、新たな会員ＩＤを発行するとともに、該発行した新たな会員ＩＤに対応付けて、該ユーザー登録ページにて受付けたアクセス利用者のパスワードや個人情報を、前記ユーザー情報データベースに登録した後、該発行した会員ＩＤをアクセス利用者に通知する通知ページを携帯電話３に配信して、ログインに必要となる会員ＩＤをアクセス利用者に通知する（図３参照）。
【００５２】
このようにして会員ＩＤの通知を受けて登録会員となったアクセス利用者が希望する区域、例えば渋谷区にある遊技場の情報を入手したい場合には、前記トップページに戻って「パーラー情報」の選択入力部を入力する。
【００５３】
該「パーラー情報」の選択入力によって携帯電話３から送信されるＨＴＴＰリクエストの受信に基づいてサーバコンピュータ１は、図示しない認証ページを携帯電話３に配信して、会員ＩＤとパスワードの受付けを実施し（図３参照）、該認証ページにて受付けたパスワードと会員ＩＤとが、前記ユーザー情報データベースに該受付けた会員ＩＤに対応して登録（記憶）されているパスワードと一致するかに基づいて、アクセス利用者が登録会員であるか否かの認証を実施し、パスワードが一致したことに基づいて図５に示す検索ページを配信して、検索内容の受付けを実施する。
【００５４】
この本実施例の検索ページには、図５に示すように、都市、例えば東京等を一覧から選択指定するための都市入力のポップアップウインドウと、地域、例えば新宿区や渋谷区等の区を選択指定するための地域入力のポップアップウインドウと、遊技場の店名（遊技場名）を直接入力するための店名入力の入力部とを有しており、例えばアクセス利用者が、前述したように東京の渋谷区内の遊技場の情報を入手したい場合には、前記都市入力のポップアップウインドウから東京を選択指定するとともに、該東京を選択指定した後に地域入力のポップアップウインドウに一覧表示される東京の各区並びに市名から渋谷区を選択するとともに、検索ページの下方に設けられている「検索」の選択入力部を選択入力する。
【００５５】
尚、アクセス利用者が情報を入手したい遊技場の遊技場名を既に知っている場合には、該遊技場名を店名入力の入力部に直接入力すれば良い。
【００５６】
前記「検索」の選択入力部の選択入力によって携帯電話３から送信される選択された都市である「東京」と、選択された地域である「渋谷区」を含むＨＴＴＰリクエストの受信に基づいてサーバコンピュータ１は、前記ホームページ作成コンピュータ５によってアップロードされて前記ページデータ記憶領域に記憶されている遊技場名一覧ページの内、当該受信したＨＴＴＰリクエストに含まれる「東京」と「渋谷区」とに対応するとともに、該ＨＴＴＰリクエストのヘッダに含まれる携帯電話３の携帯電話事業者に対応するデータ形式の遊技場名一覧ページを特定し、該特定した遊技場名一覧ページを携帯電話３に配信することで、該配信された遊技場名一覧ページが図６に示すように表示される。尚、本実施例では、遊技場名一覧ページを１ページのように図示しているが、本発明はこれに限定されるものではなく、一覧表示する遊技場名が多い場合等にあっては、これら遊技場名一覧ページを複数のページとしても良い。
【００５７】
これら一覧表示された遊技場名の中から、アクセス利用者は、情報を入手したい遊技場を選択した後、該遊技場名一覧ページの下方に設けられている図示しない「決定」の選択入力部を選択入力することで、該選択入力によって該選択された遊技場名に対して前記ホームページ作成コンピュータ５によってリンク付けされたページである項目一覧ページの配信を要求するＨＴＴＰリクエストが携帯電話３から送信され、該ＨＴＴＰリクエストの受信に基づいてサーバコンピュータ１は、該受信したＨＴＴＰリクエストにて配信要求された項目一覧ページを携帯電話３に配信することで、該配信された項目一覧ページが携帯電話３に図７に示すように表示される。
【００５８】
この項目一覧ページに表示された項目の中から、アクセス利用者は、入手したい情報の項目、例えば遊技場の場所や営業時間等の情報を入手したい場合には「お店紹介」の項目を選択する。尚、パチンコの設置機種の情報を知りたい時には「パチンコ設置機種」、スロットマシンの設置機種の情報を知りたい時には「スロット設置機種」、出玉状況の情報を知りたい時には「出玉ベスト１０」…等のように選択すれば良い。
【００５９】
この「お店紹介」の項目を選択した後、該項目一覧ページの下方に設けられている図示しない「決定」の選択入力部を選択入力することで、該選択入力によって該選択された項目である「お店紹介」に対して前記ホームページ作成コンピュータ５によってリンク付けされたページであるお店紹介ページの配信を要求するＨＴＴＰリクエストが携帯電話３から送信され、該ＨＴＴＰリクエストの受信に基づいてサーバコンピュータ１は、該受信したＨＴＴＰリクエストにて配信要求されたお店紹介ページを携帯電話３に配信することで、該配信されたお店紹介ページが携帯電話３に図８に示すように表示されることで、アクセス利用者は、所望する渋谷区内の遊技場に関する店舗情報となる遊技場情報を入手できる。
【００６０】
このようにしてパーラー情報サイトにおいて遊技場情報が公開されて時間が経過した際、例えば一日が経過した場合には、図１４のＳ１１に示すように、前記遊技場データベースに記憶されている取得時期のデータから、その当日において更新対象となる項目のＵＲＬアドレス、具体的には、取得時期のデータとして「毎日」が記憶されている「出玉ベスト１０」の項目に対応するＵＲＬアドレス、例えば、パーラー○△の場合であれば、当該パーラー○△のホームページにおける出玉情報ページのＵＲＬアドレスが特定され、該特定されたＵＲＬアドレスに基づいて、図１４に示す如く、前述のＳ３〜Ｓ９の各処理が実施されて、該特定したＵＲＬアドレスのホームページ、例えば出玉情報ページの出玉情報に基づく出玉ベスト１０のサイト用ホームページが作成されて、サーバコンピュータ１にアップロードされてパーラー情報サイトにおいて配信されるようになり、遊技場側は、自店のホームページを更新するのみで、パーラー情報サイトにて公開される情報が自動的に更新されるようになる。
【００６１】
以上、本実施例によれば、ホームページにて自店の遊技場情報を公開している各遊技場が、総合サイトとなるパーラー情報サイトにおいても遊技場情報を公開する際の、自店の店舗情報を入力して登録する手間が大きなものとなってしまうことを解消できる。
【００６２】
また、前記実施例によれば、前述のパーラー○△の場合のように、携帯電話端末に対応していない形式のホームページのみを公開している遊技場でも、総合サイトとなるパーラー情報サイトにて、携帯電話端末向けのホームページを簡便に開設できる。
【００６３】
また、前記実施例によれば、総合サイトとなるパーラー情報サイトを運営する運営機関が公開を望まない情報、例えば、前述のパーラー○△のホームページに前述のようにバナー広告等が含まれる場合に、これらの公開を望まない情報が公開されることがなく、しかも当該情報が自動的に削除されるため、これら公開を望まない情報の削除に要する手間を大幅に削減できる。
【００６４】
また、前記実施例によれば、例えば各遊技場の遊技場名一覧ページの各遊技場名と項目一覧ページのリンク付け、並びに項目一覧ページの各項目名と当該遊技場の各項目に対応するサイト用ホームページとのリンク付けが自動的に実施されることで、これらリンク付けに伴う労力を大幅に低減できる。
【００６５】
また、前記実施例によれば、各遊技場が提供する各ホームページの更新頻度に合わせて前記取得時期を設定でき、不必要なホームページデータの取得や、無用なサイト用ホームページの生成を極力少なくすることができ、これら無用なサイト用ホームページの生成に係わる処理負荷や、不必要なホームページデータの取得に係わる通信コストを低減できる。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、より多くの情報をアクセス利用者に入手しやすい形態にて提供するために、取得した各遊技場のホームページデータ（ソースデータ）に基づいて、各項目毎に総合店舗情報ページとなるサイト用ホームページを作成し、遊技場名一覧ページから項目一覧ページを介してリンク付けしているが、本発明はこれに限定されるものではなく、サイト用ホームページ作成処理において、取得した各項目のホームページデータ（ソースデータ）を全て合わせた１つのサイト用ホームページを作成して、該サイト用ホームページを遊技場一覧ページの当該遊技場名に直接リンクするようにしても良い。
【００６８】
また、前記実施例では、パーラー情報サイトにおける遊技場の検索方法が、都市や地域を選択入力して遊技場一覧を表示することから、検索結果の遊技場一覧ページが、パーラー情報サイトにおいて遊技場情報を公開するために契約した遊技場の所在から、一義的な検索結果となるために、ホームページ作成コンピュータ５側において、遊技場名一覧ページや、項目一覧ページを作成して、これら遊技場名一覧ページと項目一覧ページに対してサイト用ホームページ作成処理において作成した各項目のサイト用ホームページをリンク付けするようにしているが、本発明はこれに限定されるものではなく、サーバコンピュータ１にも各遊技場の住所や名称等を記憶した遊技場テーブルを記憶しておき、例えば、図１５に示すように、検索方法として、都市や地域を選択入力の他に、直接遊技場名（店名）を入力することにより、入力された店名を含む検索結果をサーバコンピュータ１にて、その都度作成する場合等にあっては、作成される検索結果のページが一義的なものとならないことから、その場合には、これら作成された検索結果ページである遊技場名一覧ページや、該遊技場名一覧ページに一覧表示された各遊技場の項目一覧ページへのリンク対象が、各遊技場名とともに送信されるサイト用ホームページである旨をホームページ作成コンピュータ５がサーバコンピュータ１に送信するようにすれば良く、具体的には、サイト用ホームページ作成処理において作成した各項目のサイト用ホームページのソースデータと、該ソースデータを配信可能に記憶することを要求する登録要求とを、該サイト用ホームページの遊技場名と、該遊技場名とともに送信されるサイト用ホームページが当該遊技場名に対してリンク付けする対象である旨とを前記サーバコンピュータ１に対して送信すれば良い。実際には、検索結果である遊技場名一覧ページからサイト用ホームページへは、項目一覧ページを介してリンク付けされるため、項目一覧ページおよびサイト用ホームページのソースデータと、登録要求とともに、遊技場名と、前記項目一覧ページが当該遊技場名に対してリンク付けする対象でる旨とを送信する。つまり、サイト用ホームページのホームページデータ並びに該サイト用ホームページを前記ページデータ記憶領域に配信可能に記憶することを要求する登録要求とともに、該サイト用ホームページの作成元となったホームページのホームページアドレス（ＵＲＬアドレス）に対応付けて前記店舗名称記憶手段となる遊技場データベースに記憶されている遊技場名と、当該遊技場名とともに送信されるホームページデータのホームページが当該遊技場名に対してリンク付けするリンク対象である旨とを前記サーバコンピュータ１に対して送信すれば良い。
【００６９】
また、前記実施例では、パーラー情報サイトにて公開する各項目毎に作成元（取得先）のホームページのホームページアドレス（ＵＲＬアドレス）並びに取得時期を個別に登録できるようにしているが、本発明はこれに限定されるものではなく、これら作成元（取得先）のホームページのホームページアドレス（ＵＲＬアドレス）が１つである場合等には、これら取得時期を一義的なものとしても良い。
【００７０】
また、前記実施例では、図示しない削除部分登録画面にて削除する部分の削除部分特定情報として、特定の語句やリンク付けされた画像等の指定を受付けるようにしているが、本発明はこれに限定されるものではなく、例えば、削除対象とする情報が含まれる特異なタグを選択可能として、これら削除対象とするタグの種別を、削除する部分を特定可能な削除部分特定情報として前記遊技場データベースの削除設定に記憶するようにしても良い。
【００７１】
また、前記実施例では、サイト用ホームページとして、携帯電話事業者の携帯電話において使用可能なデータ形式のサイト用ホームページを必ず作成するようにしているが、本発明はこれに限定されるものではなく、これらサイト用ホームページとしては、携帯電話向けではない通常のＨＴＭＬデータ形式のサイト用ホームページであっても良い。
【００７２】
また、前記実施例では、ホームページ作成コンピュータ５を、サーバコンピュータ１を運営する会社の提供センタに、サーバコンピュータ１とともに設置した例を示したが、本発明はこれに限定されるものではなく、これらホームページ作成コンピュータ５の設置場所や設置形態、並びに運営企業等に関しては特に限定されるものではない。
【００７３】
また、前記実施例では、店舗として遊技場を例に説明したが、本発明はこれに限定されるものではなく、これら遊技場以外の店舗、例えばビデオレンタル店等においても本発明を提供できることは言うまでもない。
【００７４】
前記実施例における各要素は、本発明に対して以下のように対応している。
本発明の請求項１は、データ通信可能に接続された複数のコンピュータ端末から成るコンピュータネットワーク（インターネット網８）に接続されたコンピュータ（ホームページ作成コンピュータ）を用いて、複数の店舗の店舗情報を１つの総合サイト（パーラー情報サイト）において提供するための総合店舗情報ホームページ（サイト用ホームページ）を作成するホームページ作成システムであって、各店舗（遊技場）のホームページのホームページアドレス（ＵＲＬアドレス）を入力するための入力手段（ＣＰＵ５１；遊技場登録変更受付け設定処理）と、該入力手段から入力されたホームページアドレスに対応するホームページのホームページデータ（ソースデータ）を、予め定められた所定の取得時期において取得するホームページデータ取得手段（ＣＰＵ５１；ホームページデータ取得処理）と、該ホームページデータ取得手段にて取得したホームページデータに基づいて、当該ホームページデータに対応する店舗の店舗情報を前記総合サイトにおいて提供するための総合店舗情報ホームページ（サイト用ホームページ）を作成するホームページ作成手段（ＣＰＵ５１；サイト用ホームページ作成処理）と、該ホームページ作成手段にて作成した総合店舗情報ホームページのホームページデータと、当該ホームページデータを前記総合店舗情報ホームページとして登録することを要求する登録要求とを、前記コンピュータネットワークに接続され、前記総合サイトを提供するためのサイトサーバ（サーバコンピュータ１）に送信する登録要求送信手段（ＣＰＵ５１；登録要求送信処理）と、を備える。
【００７５】
本発明の請求項２は、前記ホームページデータ取得手段にて取得した各店舗のホームページデータの形式を特定するデータ形式特定手段（ＣＰＵ５１；データ形式特定処理）を備え、前記ホームページ作成手段（ＣＰＵ５１；サイト用ホームページ作成処理）は、前記データ形式特定手段にて特定される前記ホームページデータ取得手段（ＣＰＵ５１；ホームページデータ取得処理）にて取得した各店舗（遊技場）のホームページデータのデータ形式が、携帯電話端末（携帯電話３）用の所定形式のホームページデータでないときに、少なくとも携帯電話端末用の所定形式（Ｃ-ＨＴＭＬ形式、ＨＤＭＬ形式、ＭＭＬ形式）のホームページデータから成る総合店舗情報ホームページ（サイト用ホームページ）を作成する。
【００７６】
本発明の請求項３は、前記ホームページデータ取得手段（ＣＰＵ５１；ホームページデータ取得処理）にて取得した各店舗（遊技場）のホームページデータから削除する部分を特定可能な削除部分特定情報（削除情報）を登録するための削除部分特定情報登録手段（ＣＰＵ５１；削除部分情報記憶処理）を備え、前記ホームページ作成手段（ＣＰＵ５１；サイト用ホームページ作成処理）は、前記総合店舗情報ホームページ（サイト用ホームページ）を作成するときに、該削除部分特定情報登録手段にて登録された削除部分特定情報に基づいて、前記ホームページデータ取得手段にて取得した各店舗のホームページデータにおける削除部分（イメージデータ）を特定して削除する。
【００７７】
本発明の請求項４は、前記入力手段（ＣＰＵ５１；遊技場登録変更受付け設定処理）においては、各店舗（遊技場）のホームページのホームページアドレス（ＵＲＬアドレス）とともに、当該店舗の店舗名称（遊技場名）が入力され、該入力手段にて入力されたホームページアドレスと当該店舗の店舗名称とを対応付けて記憶するための店舗名称記憶手段（記憶装置５５；遊技場データベース）を備え、前記登録要求送信手段（ＣＰＵ５１；登録要求送信処理）は、前記総合店舗情報ホームページ（サイト用ホームページ）のホームページデータ並びに前記登録要求とともに、該ホームページデータの作成元となったホームページのホームページアドレス（ＵＲＬアドレス）に対応付けて前記店舗名称記憶手段に記憶されている店舗名称と、当該店舗名称とともに送信されるホームページデータのホームページが当該店舗名称に対してリンク付けするリンク対象である旨とを前記サイトサーバ（サーバコンピュータ１）に対して送信する。
【００７８】
本発明の請求項５は、前記入力手段（ＣＰＵ５１；遊技場登録変更受付け設定処理）においては、各店舗（遊技場）のホームページのホームページアドレス（ＵＲＬアドレス）とともに、当該店舗の店舗名称（遊技場名）が入力され、該入力手段にて入力されたホームページアドレスと当該店舗の店舗名称とを対応付けて記憶するための店舗名称記憶手段（記憶装置５５；遊技場データベース）と、前記店舗名称記憶手段に記憶されている店舗名称が一覧表示される店舗一覧ホームページ（遊技場一覧ページ）を作成する店舗一覧ホームページ作成手段（ＣＰＵ５１；遊技場名一覧ページ作成処理）と、該店舗一覧ホームページ作成手段にて作成された店舗一覧ホームページの各店舗の店舗名称に対して、前記ホームページ作成手段（ＣＰＵ５１；サイト用ホームページ作成処理）にて作成した該店舗の総合店舗情報ホームページ（サイト用ホームページ）をリンク付けするリンク付け手段（ＣＰＵ５１；リンク付け処理）と、を備え、前記登録要求送信手段（ＣＰＵ５１；登録要求送信処理）は、前記総合店舗情報ホームページのホームページデータとともに、前記リンク付け手段にて該総合店舗情報ホームページのホームページデータにリンク付けされた店舗名称を含む前記店舗一覧ホームページ作成手段にて作成された店舗一覧ホームページのホームページデータと、これらホームページデータ並びに店舗一覧ホームページの登録を要求する登録要求とを、前記サイトサーバ（サーバコンピュータ１）に対して送信する。
【００７９】
本発明の請求項６は、前記入力手段（ＣＰＵ５１；遊技場登録変更受付け設定処理）にて入力される各店舗のホームページのホームページアドレス（ＵＲＬアドレス）が複数であって、該複数の各ホームページアドレス毎に前記取得時期を個別に設定するための取得時期設定手段（ＣＰＵ５１；遊技場登録変更受付け設定処理）を備え、前記ホームページデータ取得手段（ＣＰＵ５１；ホームページデータ取得処理）は、前記取得時期設定手段にて設定されている取得時期に基づいてホームページデータを取得する。
【図面の簡単な説明】
【００８０】
【図１】本発明のホームページ作成システムが適用された本実施例のシステムを示すシステム図である。
【図２】本発明の実施例に用いたサーバコンピュータ並びにホームページ作成コンピュータの構成を示すブロック図である。
【図３】本発明の実施例に用いたサーバコンピュータにて提供されるパーラー情報サイトの構成を示す図である。
【図４】本発明の実施例に用いたサーバコンピュータにて提供されるパーラー情報サイトのトップページが表示されたアクセス利用者の携帯電話を示す図である。
【図５】本発明の実施例に用いたサーバコンピュータにて提供されるパーラー情報サイトの検索ページが表示されたアクセス利用者の携帯電話を示す図である。
【図６】本発明の実施例に用いたサーバコンピュータにて提供されるパーラー情報サイトの遊技場名一覧ページが表示されたアクセス利用者の携帯電話を示す図である。
【図７】本発明の実施例に用いたサーバコンピュータにて提供されるパーラー情報サイトの項目一覧ページが表示されたアクセス利用者の携帯電話を示す図である。
【図８】本発明の実施例に用いたサーバコンピュータにて提供されるパーラー情報サイトのお店紹介ページが表示されたアクセス利用者の携帯電話を示す図である。
【図９】本発明の実施例に用いた各遊技場のコンピュータにて配信される遊技場独自のホームページ（トップページ）を示す図である。
【図１０】本発明の実施例に用いた各遊技場のコンピュータにて配信される遊技場独自のホームペー（店舗情報）ジを示す図である。
【図１１】本発明の実施例に用いたサーバコンピュータにおけるユーザー情報データベースを示す図である。
【図１２】本発明の実施例に用いたホームページ作成コンピュータにおける遊技場データベースを示す図である。
【図１３】本発明の実施例に用いたホームページ作成コンピュータにおける遊技場登録変更設定画面を示す図である。
【図１４】本発明の実施例に用いたホームページ作成コンピュータにおける処理内容を示すフロー図である。
【図１５】その他の形態におけるパーラー情報サイトの検索ページ並びに検索結果ページが表示されたアクセス利用者の携帯電話を示す図である。
【符号の説明】
【００８１】
１      サーバコンピュータ
２      通信装置
３      携帯電話
４      ノートパソコン
５      ホームページ作成コンピュータ
６      コンピュータ
７      コンピュータ
８      インターネット網
１０    データバス
１１    中央演算処理回路（ＣＰＵ）
１２    ＲＡＭ
１３    通信インターフェイス
１５    記憶装置
１７    リアルタイムクロック（ＲＴＣ）
５０    データバス
５１    中央演算処理回路（ＣＰＵ）
５２    ＲＡＭ
５３    通信インターフェイス
５４    表示装置
５５    記憶装置
５６    入力装置
５７    リアルタイムクロック（ＲＴＣ）
【図１】
2005332335.tif 000003
【図２】
2005332335.tif 000004
【図３】
2005332335.tif 000005
【図４】
2005332335.tif 000006
【図５】
2005332335.tif 000007
【図６】
2005332335.tif 000008
【図７】
2005332335.tif 000009
【図８】
2005332335.tif 000010
【図９】
2005332335.tif 000011
【図１０】
2005332335.tif 000012
【図１１】
2005332335.tif 000013
【図１２】
2005332335.tif 000014
【図１３】
2005332335.tif 000015
【図１４】
2005332335.tif 000016
【図１５】
2005332335.tif 000017